(57)【要約】【課題】例えば自動車などにおいてそのユーザが所有欲を満たすまたは高級感や優越感を感じることができる機能をユーザが任意のタイミングで動作させることができるようにする。【解決手段】自動車において、カーステレオの操作部２に設けられたブランドを想起させる印を模したスイッチ２ａが押されると、予めメモリ４に記憶してあるブランドを想起させる音声情報をＣＰＵ３が読み出して、その音声情報が自動車内に設置されたスピーカ７から出力される。【選択図】図２
2008137408.tif 000002
【特許請求の範囲】
【請求項１】
ブランドを想起させる印を模したスイッチと、
所定の情報を記憶する記憶手段と、
前記所定の情報を出力する出力手段と、
前記スイッチが操作されたことを検出し、前記記憶手段に記憶した前記所定の情報を読み出して前記出力手段に出力させる制御手段と、
を備えたことを特徴とする情報提供システム。
【請求項２】
前記所定の情報が、音声情報であることを特徴とする請求項１に記載の情報提供システム。
【請求項３】
前記所定の情報が、映像情報であることを特徴とする請求項１または２に記載の情報提供システム。
【請求項４】
前記所定の情報が、前記ブランドを想起させる情報であることを特徴とする請求項１乃至３のいずれか一項に記載の情報提供システム。
【請求項５】
前記記憶手段が、書き換え可能であって、前記記憶手段に前記所定の情報を入力する入力手段を備えたことを特徴とする請求項１乃至４のいずれか一項に記載の情報提供システム。
【請求項６】
前記記憶手段が、前記所定の情報を複数記憶したことを特徴とする請求項１乃至５のいずれか一項に記載の情報提供システム。
【請求項７】
前記制御手段が、前記スイッチを操作する回数に応じて、複数の前記所定の情報のうち１つを選択して前記出力手段に出力させることを特徴とする請求項６に記載の情報提供システム。
【請求項８】
前記制御手段が、前記スイッチを操作した日付および／または時間に応じて、複数の前記所定の情報のうち１つを選択して前記出力手段に出力させることを特徴とする請求項６に記載の情報提供システム。
【請求項９】
請求項１乃至８のいずれか一項に記載の情報提供システムを備えた自動車。
【発明の詳細な説明】
【技術分野】
【０００１】
本発明は、所定の情報を再生する情報提供システムおよび情報提供システムを備えた自動車に関する。
【背景技術】
【０００２】
従来、例えば自動車などにおいて、ユーザを主人または客人として自動車がもてなすシステムとして特許文献１に記載の自動車用ユーザもてなしシステムが提案されている。
【０００３】
特許文献１に記載の自動車用ユーザもてなしシステムは、駐車中の自動車にユーザが接近した際または乗り込み時の誘導を行っている。具体的には、ユーザが接近すると自動車の照明やホーンなどにより自動車の位置をユーザに知らせ、乗り込む際には車内照明による誘導や、乗り込む前にエアコンやステレオなどを自動的に作動させておいたり、シートやミラーなどが自動的に適正な位置に移動するようになっている。
【特許文献１】特開２００６−６９２９６号公報
【発明の開示】
【発明が解決しようとする課題】
【０００４】
しかしながら、特許文献１に記載の自動車用ユーザもてなしシステムは、おもてなしとしての機能がシステムが用意しているタイミングで動作するものであり、ユーザが任意のタイミングで動作させることはできなかった。
【０００５】
さらに、特許文献１に記載の自動車用ユーザもてなしシステムは、自動車の位置を探すのが主目的であって、その自動車が持つブランドを誇示してユーザがその所有欲を満たすまたは高級感や優越感を感じるということが主な目的の機能ではなかった。
【０００６】
そこで、本発明は、例えば、自動車などにおいて、そのユーザがその所有欲を満たすまたは高級感や優越感を感じることができる機能をユーザが任意のタイミングで動作させることができるような情報提供システムおよびブランド情報再生ステムを備えた自動車を提供することを課題とする。
【課題を解決するための手段】
【０００７】
上記課題を解決するために、請求項１に記載の発明は、ブランドを想起させる印を模したスイッチと、所定の情報を記憶する記憶手段と、前記所定の情報を出力する出力手段と、前記スイッチが操作されたことを検出し、前記記憶手段に記憶した前記所定の情報を読み出して前記出力手段に出力させる制御手段と、を備えたことを特徴としている。
【発明を実施するための最良の形態】
【０００８】
以下、本発明の一実施形態にかかる情報提供システムを説明する。本発明の一実施形態にかかる情報提供システムは、ブランドを想起させる印を模したスイッチが操作された際に、制御手段が、記憶手段に記憶された所定の情報を出力手段に出力させている。このようにすることによって、従来飾りであったブランドを想起させる印自体がスイッチとなっており、そのスイッチをユーザが任意のタイミングで操作することで記憶手段に記憶された所定の情報が出力されるので、ユーザがそのブランドの製品を持つ所有欲を満たすまたは高級感や優越感を感じることができる。
【０００９】
また、所定の情報は、音声情報であってもよい。このようにすることによって、音声によってユーザがそのブランドの製品を持つ所有欲を満たすまたは高級感や優越感を感じることができる。
【００１０】
また、所定の情報は、映像情報であってもよい。このようにすることによって、映像によってユーザがそのブランドの製品を持つ所有欲を満たすまたは高級感や優越感を感じることができる。
【００１１】
また、所定の情報が、ブランドを想起させる情報であってもよい。このようにすることによって、ブランドを想起させる情報によってユーザがそのブランドの製品を持つ所有欲を満たすまたは高級感や優越感を感じることができる。
【００１２】
また、記憶手段が、書き換え可能であって、記憶手段に所定の情報を入力する入力手段を備えてもよい。このようにすることによって、所定の情報を書き換えることができる。
【００１３】
また、記憶手段が、ブランドを想起させる情報を複数記憶してもよい。このようにすることによって、ブランドを想起させる情報を複数記憶して、ユーザが複数の情報からそのブランドの製品を持つ所有欲を満たすまたは優越感に浸ることができる。
【００１４】
また、制御手段が、スイッチを操作する回数に応じて、複数のブランドを想起させる情報のうち１つを選択して出力手段に出力させるようにしてもよい。このようにすることによって、スイッチを操作する回数に応じて複数の情報を再生することができる。
【００１５】
また、制御手段が、スイッチを操作した日付および／または時間に応じて、複数のブランドを想起させる情報のうち１つを選択して前記出力手段に出力させるようにしてもよい。このようにすることによって、ユーザがスイッチを操作した日付および／または時間に応じた情報が再生されるので、よりそのブランドの製品を持つ所有欲を満たすまたは優越感に浸ることができる。
【００１６】
また、自動車に請求項１乃至７のいずれか一項に記載の情報提供システムを備えてもよい。このようにすることによって、自動車において、ユーザが任意のタイミングで操作して出力された情報によってそのブランドの製品を持つ所有欲を満たすまたは優越感に浸ることができる。
【実施例１】
【００１７】
本発明の第１の実施例にかかる情報提供システム１を図１乃至図３を参照して説明する。図１は本発明の第１の実施例にかかる情報提供システム１のブロック図である。情報提供システム１は、操作部２と、ＣＰＵ３と、メモリ４と、Ｄ／Ａコンバータ５と、アンプ６と、スピーカ７と、を備えている。
【００１８】
操作部２は、図２に示すように自動車のカーステレオの操作部を兼ねており、ブランドを想起させる印を模したスイッチとしてのスイッチ２ａと、ツマミ２ｂと、ＣＤ／ＤＶＤ挿入口２ｃと、カーステレオの各種操作のためのボタン２ｄと、ＭＤ挿入口２ｅとを備えている。
【００１９】
スイッチ２ａはブランド名やそのマークあるいはロゴなどのブランドを想起させる印を模しており、印全体が押しボタンとなっている。
【００２０】
ツマミ２ｂはカーステレオのラジオの選局や音量の調節などを行う。ＣＤ／ＤＶＤ挿入口２ｃはＣＤ（Compact Disc）やＤＶＤ（Digital Versatile Disk）を再生するために図示しない再生装置へセットするための挿入口である。カーステレオの各種操作のためのボタン２ｄは、前述したラジオやＣＤやＤＶＤや後述するＭＤ（Mini Disc）などの各種ソース切替えや再生／停止などの操作を行うためのボタンである。ＭＤ挿入口２ｅはＭＤを再生するために図示しない再生装置へセットするための挿入口である。
【００２１】
制御手段としてのＣＰＵ３は、図示しないＲＯＭやＲＡＭなどを内蔵し、ＲＯＭに記憶された制御プログラムに基づいてメモリ４に記憶されたブランドを想起させる情報を読み出すなど情報提供システム１の全体の制御を行う。
【００２２】
記憶手段としてのメモリ４は、不揮発性のメモリで構成されており、所定の情報としてのブランドを想起させる音声情報が記憶されており、ＣＰＵ３によって読み出される。ブランドを想起させる音声情報とは、例えば、ブランド名やサウンドロゴまたは音声によるＣＭなど音声によってブランド（本実施例の場合は自動車のメーカー名やブランド名または車名など）を想起させる情報をいう。
【００２３】
Ｄ／Ａコンバータ５は、ＣＰＵ３がメモリ４から読み出した音声情報をデジタル／アナログ変換してアンプ６へ出力する。
【００２４】
アンプ６は、Ｄ／Ａコンバータ５が変換したアナログ信号を所定の大きさに増幅してスピーカ７へ出力する。
【００２５】
出力手段としてのスピーカ７は、自動車内のドアやピラーなどの所定の位置に取り付けられアンプ６から入力されたアナログ信号を音声に変換して出力する。
【００２６】
次に、本実施例における情報提供システムの動作について図３のフローチャートを参照して説明する。
【００２７】
まず、ステップＳ１において、スイッチ２ａが押されたか否かを判断して、押されたことが検出された場合（ＹＥＳの場合）はステップＳ２に進み、そうでない場合（ＮＯの場合）は再度判断する。
【００２８】
次に、ステップＳ２において、メモリ４から音声情報を読み出してステップＳ３に進む。
【００２９】
次に、ステップＳ３において、ステップＳ２で読み出された音声情報をＤ／Ａコンバータ５へ出力してステップＳ１へ戻る。Ｄ／Ａコンバータ５に出力された音声情報はアナログ信号に変換してアンプ６で増幅後自動車内に取り付けられたスピーカ７から出力される。
【００３０】
本実施例によれば、自動車において、カーステレオの操作部２に設けられたブランドを想起させる印を模したスイッチ２ａを押すと、予めメモリ４に記憶してあるブランドを想起させる音声情報を再生して自動車内のスピーカ７から出力されるために、ブランドを想起させるような情報をユーザが任意のタイミングで動作でき、その音声情報によってユーザがその所有欲を満たすまたは高級感や優越感を感じることができる。
【実施例２】
【００３１】
次に、第２の実施例にかかる情報提供システム１を図４および図５を参照して説明する。なお、前述した第１の実施例と同一部分には、同一符号を付して説明を省略する。
【００３２】
本実施例では、図４に示したように情報提供システム１にモニタ８が追加されている点およびメモリ４に所定の情報としてのブランドを想起させる映像情報が記憶されている点が第１の実施例と異なる。出力手段としてのモニタ８は映像を表示する装置である。自動車内であれば例えばカーナビゲーションシステムのモニタと兼用してもよい。すなわち、図５に示したフローチャートのようにスイッチ２ａを押されると（ステップＳ１）、ＣＰＵ３はメモリ４から映像情報を読み出して（ステップＳ２´）モニタ８に出力する（ステップＳ３´）。モニタ８にはメモリ４に記憶されたブランドを想起させる情報が表示される。
【００３３】
本実施例のブランドを想起させる映像情報は、例えば、ブランド名やロゴまたはＣＭなど映像によってブランド（本実施例の場合は自動車のメーカー名やブランド名または車名など）を想起させる情報をいう。勿論、映像と音声の両方を備えた情報でもよい。
【００３４】
本実施例によれば、自動車において、カーステレオの操作部２に設けられたブランドを想起させる印を模したスイッチ２ａを押すと、予めメモリ４に記憶してあるブランドを想起させる映像情報を再生して自動車内のモニタ８から表示されるために、ブランドを想起させるような情報をユーザが任意のタイミングで動作でき、その映像情報によってユーザがその所有欲を満たすまたは高級感や優越感を感じることができる。
【実施例３】
【００３５】
次に、第３の実施例にかかる情報提供システム１を図６を参照して説明する。なお、前述した第１、第２の実施例と同一部分には、同一符号を付して説明を省略する。
【００３６】
本実施例では、図６に示したように、記録媒体９と受信部１０およびアンテナ１１を備えた点が第２の実施例と異なる。本実施例ではメモリ４は書き換え可能となっており、入力手段としての記録媒体９は、書き換え用の情報が記録された着脱自在な媒体であり、例えば光ディスクやメモリーカードなどである。入力手段としての受信部１０およびアンテナ１１は外部のネットワーク経由でメモリ４の情報を書き換える場合に使用するブロックであり、アンテナ１１で受信した情報を受信部１０で復調してメモリ４に出力する。勿論、記録媒体９と、受信部１０およびアンテナ１１はいずれか一方のみを備えてもよい。
【００３７】
本実施例によれば、自動車において、カーステレオの操作部２に設けられたブランドを想起させる印を模したスイッチ２ａを押すと再生されるブランドを想起させる音声情報および映像情報を記憶するメモリ４が書き換え可能となっており、記録媒体９や受信部１０およびアンテナ１１によって書き換えるために、ブランドを想起させるような情報を例えば、サウンドロゴなどが変更されてもアップデートでき、また季節に合わせたものに変更したり最新のＣＭに変更したりすることができる。
【実施例４】
【００３８】
次に、本発明に第４の実施例にかかる情報提供システム１を図７を参照して説明する。なお、前述した第１乃至第３の実施例と同一部分には、同一符号を付して説明を省略する。
【００３９】
本実施例は、ブロック構成は第１乃至第３のいずれでもよいが、メモリ４に記憶されているブランドを想起させる情報が複数ある点およびスイッチ２ａの操作回数に応じてその複数のブランドを想起させる情報から１つが選択されて再生される点が異なる。
【００４０】
本実施例の動作を図７のフローチャートを参照して説明する。
【００４１】
まず、ステップＳ１は他の実施例と同様にスイッチ２ａが押されたか否かを判断して、押されたことが検出された場合（ＹＥＳの場合）はステップＳ１０に進み、そうでない場合（ＮＯの場合）は再度判断する。
【００４２】
次に、ステップＳ１０において、スイッチ２ａが押された回数を記録してステップＳ２´´に進む。スイッチ２ａが押された回数はＣＰＵ３内に保存される。
【００４３】
次に、ステップＳ２´´においてメモリ４からスイッチ２ａが押された回数に対応するブランドを想起させる映像情報や音声情報を読み出してステップＳ３´´に進む。
【００４４】
次に、ステップＳ３´´において音声情報はＤ／Ａコンバータ５へ出力し映像情報はモニタ８へ出力してステップＳ１へ戻る。
【００４５】
本実施例によれば、自動車において、カーステレオの操作部２に設けられたブランドを想起させる印を模したスイッチ２ａが押された回数に応じてメモリ４に記憶された複数のブランドを想起させる音声情報および映像情報のうち１つが選択されて再生するために、ブランドを想起させるような情報を複数のバージョン用意しておき、ユーザが任意にそのバージョンを選択して再生させることができる。
【実施例５】
【００４６】
次に、本発明に第５の実施例にかかる情報提供システム１を図８を参照して説明する。なお、前述した第１乃至第４の実施例と同一部分には、同一符号を付して説明を省略する。
【００４７】
本実施例は、図８に示したようにマイク１２とＡ／Ｄコンバータ１３を備えた点が異なる。本実施例では第３の実施例と同様にメモリ４は書き換え可能となっており、入力手段としてのマイク１２は、ユーザが様々なメッセージをメモリ４に記録するためのものであり、マイク１２から入力された音声は、Ａ／Ｄコンバータ１３でデジタル値に変換してメモリ４に記録される。そして、ユーザがスイッチ２ａを押すことで、記録された音声がスピーカ７から出力される。
【００４８】
本実施例によれば、自動車において、カーステレオの操作部２に設けられたブランドを想起させる印を模したスイッチ２ａを押すと再生されるブランドを想起させる音声情報および映像情報を記憶するメモリ４が書き換え可能となっており、マイク１２から音声を記録することができるために、例えば自動車であれば他の使用者や同乗者宛にメッセージを記録するようなことが可能になる。
【００４９】
なお、スイッチ２ａを押した回数でなくスイッチ２ａを押した日付および／または時間に応じて、複数のブランドを想起させる情報のうち１つを選択して出力させてもよい。例えばユーザの誕生日などの記念日を予め設定しておき、記念日になると記念日に応じた所定の情報を出力する、あるいは、正月やクリスマスなどのイベントに応じた所定の情報を出力するようにしてもよい。サウンドロゴやＣＭであれば、季節などに合わせたサウンドロゴやＣＭを出力するようにしてもよい。
【００５０】
また、スイッチはカーステレオの操作部に限らず自動車内のインパネの他の箇所に設けてもよい。また、スイッチは複数設けてもよい。さらに、複数の各スイッチに対応して再生する情報を異ならせてもよい。
【００５１】
また、スイッチは押しボタン方式でなく、静電スイッチなど触れる方式のスイッチやタッチセンサを備えたモニタ画面上に表示したブランドを想起させる印でもよい。
【００５２】
また、自動車に限らず家庭用の音響システムや映像システムなどに本発明の情報提供システムを備えてもよい。
【００５３】
前述した実施例によれば、以下の情報提供システムが得られる。
【００５４】
（付記１）ブランドを想起させる印を模したスイッチ２ａと、
ブランドを想起させる音声情報を記憶したメモリ４と、
ブランドを想起させる音声情報を出力するスピーカ７と、
スイッチ２ａが操作されたことを検出し、メモリ４に記憶したブランドを想起させる音声情報を読み出してスピーカ７に出力させるＣＰＵ３と、
を備えたことを特徴とする情報提供システム１。
【００５５】
この情報提供システム１によれば、従来飾りであったブランドを想起させる印自体がスイッチ２ａとなっており、そのスイッチ２ａをユーザが任意のタイミングで操作することでメモリ４に記憶されたブランドを想起させるような音声情報が再生されるので、ユーザがそのブランドの製品を持つ所有欲を満たすまたは高級感や優越感を感じることができる。
【００５６】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５７】
【図１】本発明の第１の実施例にかかる情報提供システムのブロック図である。
【図２】図１に示された情報提供システムの操作部の正面図である。
【図３】図１に示された情報提供システムの動作を示すフローチャートである。
【図４】本発明の第２の実施例にかかる情報提供システムのブロック図である。
【図５】図４に示された情報提供システムの動作を示すフローチャートである。
【図６】本発明の第３の実施例にかかる情報提供システムのブロック図である。
【図７】本発明の第４の実施例にかかる情報提供システムの動作を示すフローチャートである。
【図８】本発明の第５の実施例にかかる情報提供システムのブロック図である。
【符号の説明】
【００５８】
１        情報提供システム
２ａ      スイッチ
３        ＣＰＵ（制御手段）
４        メモリ（記憶手段）
５        Ｄ／Ａコンバータ
７        スピーカ（出力手段）
８        モニタ（出力手段）
【図１】
2008137408.tif 000003
【図２】
2008137408.tif 000004
【図３】
2008137408.tif 000005
【図４】
2008137408.tif 000006
【図５】
2008137408.tif 000007
【図６】
2008137408.tif 000008
【図７】
2008137408.tif 000009
【図８】
2008137408.tif 000010